(57)【特許請求の範囲】
【請求項１】
第１パネル（１）及び第２パネル（２）を備え、前記第２パネル（２）が前記第１パネル（１）に対して本質的に垂直に変位される時に、前記第１パネルと前記第２パネルとの間の機械的なロックを達成するために、前記パネルが互いに対して本質的に垂直に配置される時に、前記第２パネルのエッジ（１６）が、前記第１パネル（１）の溝（６）内に挿入可能である、という長方形状のパネル（１、２）として形成された１組の家具の構成要素であって、
前記エッジ（１６）は、舌部溝（５）を有すると共に、前記溝（６）は、別個かつ柔軟な舌部（３）を有し、
前記第１パネル（１）の主平面（ＭＰ）に対して垂直な第１方向において前記パネルを互いにロックするために、前記別個かつ柔軟な舌部（３）は、前記舌部溝（５）内に挿入可能であり、
前記第１パネル（１）の前記主平面（ＭＰ）と平行な第２方向において前記パネルを互いにロックするために、前記第２パネルの前記エッジ（１６）と前記第１パネル（１）の溝（６）とは、前記第２方向で互いに掛かり合うように構成されており、
前記別個かつ柔軟な舌部（３）の長さ方向は、前記エッジ及び／または溝（６）と平行に延びており、
前記溝（６）は、開口と、２つの側壁（６ｂ、６ｃ）と、底部（６ａ）と、を有しており、
前記別個かつ柔軟な舌部（３）は、挿入溝（４）内に配置されており、
前記別個かつ柔軟な舌部は、前記２つの側壁（６ｂ、６ｃ）のうちの一方の側壁（６ｂ）に設けられて、前記挿入溝（４）内に取り付けられる内側部分（９）と、前記挿入溝の開口の外側に延伸する外側部分（１０）と、を有しており、
前記別個かつ柔軟な舌部（３）は、前記第２パネルが前記第１パネルに本質的に垂直に配置されつつ前記第２パネルを前記溝（６）内に挿入するロック中に、前記第２パネルが前記２つの側壁（６ｂ、６ｃ）のうちの他方の側壁（６ｃ）に当接しながら、前記挿入溝（４）の底部に向かって内向きに、及び、前記舌部溝（５）内へ外向きに、変位可能であり、
前記挿入溝（４）は、前記開口が前記挿入溝（４）の内側部分よりも前記第１パネル（１）の前記主平面（ＭＰ）に近い状態で、上向きに傾けられている
ことを特徴とする１組の家具の構成要素。
【請求項２】
前記柔軟な舌部は、前記内側部分と前記外側部分との間に位置された２つの対向する変位面（３ａ、３ｂ）を有し、
前記柔軟な舌部（３）の前記２つの対向する変位面の各々は、ロック中に、前記挿入溝（４）の前記底部に向かって内向きに、及び、前記舌部溝（５）に向かって外向きに、それぞれ、前記挿入溝の上方壁及び下方壁に対して変位可能である
ことを特徴とする請求項１に記載の１組の家具の構成要素。
【請求項３】
前記挿入溝（４）は、その下方部分の延長線Ｅが前記溝（６）の開口の前記外側部分に、または、それより外側に位置するように傾けられている
ことを特徴とする請求項１または２に記載の１組の家具の構成要素。
【請求項４】
前記第２パネル（２）が前記第１パネル（１）の溝（６）内に挿入される時にパネル本体が前記溝（６）の開口（２７、２８）の一方部分または両方部分と重なるように、前記第２パネルは、前記パネル本体（２）よりも小さな厚みを有する外側エッジを有する
ことを特徴とする請求項１乃至３のいずれかに記載の１組の家具の構成要素。
【請求項５】
前記別個かつ柔軟な舌部（３）の内側部分（９）は、前記別個かつ柔軟な舌部（３）の前記長さ方向に延伸する１つまたは２つ以上の柔軟な突出部（８）を有する
ことを特徴とする請求項１乃至４のいずれかに記載の１組の家具の構成要素。
【請求項６】
前記挿入溝（４）は、前記第１パネル（１）の前記溝（６）内に形成されている
ことを特徴とする請求項１乃至５のいずれかに記載の１組の家具の構成要素。
【請求項７】
前記挿入溝（４）は、前記第２パネルの前記主平面に対して、約１０°〜４５°の角度で傾けられている
ことを特徴とする請求項１乃至６のいずれかに記載の１組の家具の構成要素。
【請求項８】
前記パネルは、互いに離された少なくとも２つの別個かつ柔軟な舌部（３）を有する
ことを特徴とする請求項１乃至７のいずれかに記載の１組の家具の構成要素。
【請求項９】
前記溝（６）は、パネルの一部に沿って延びる部分的な溝として形成されている
ことを特徴とする請求項１乃至８のいずれかに記載の１組の家具の構成要素。
【請求項１０】
前記パネルには、前記第１パネル（１）の前記主平面（ＭＰ）と平行にパネルをロックするためのロック要素（１２）及びロック溝（１４）が設けられている
ことを特徴とする請求項１乃至９のいずれかに記載の１組の家具の構成要素。
【請求項１１】
角部分において隣接する外側パネルエッジ（１７、１８）は、前記パネルの前記主平面（ＭＰ）に対して内向きに傾けられている
ことを特徴とする請求項１乃至１０のいずれかに記載の１組の家具の構成要素。
【請求項１２】
前記別個かつ柔軟な舌部（３）は、前記舌部溝（５）に対して予張力でロックされている
ことを特徴とする請求項１乃至１１のいずれかに記載の１組の家具の構成要素。
【請求項１３】
前記別個かつ柔軟な舌部（３）は、射出成型樹脂材料から形成されている
ことを特徴とする請求項１乃至１２のいずれかに記載の１組の家具の構成要素。
【請求項１４】
前記第１パネル及び／または前記第２パネルは、エッジ部分または溝部分を形成する別個の材料（２４、２５）を有する
ことを特徴とする請求項１乃至１３のいずれかに記載の１組の家具の構成要素。
【請求項１５】
前記別個の材料は、箔で被覆されている
ことを特徴とする請求項１４に記載の１組の家具の構成要素。
【発明の詳細な説明】
【技術分野】
【０００１】
（技術分野）
本開示は、互いに対して好ましくは垂直にロックすることを意図されたパネル、特に機械的ロックシステムを有する家具の構成要素、を組み立てるための機械的ロックシステムの分野に関連する。
【０００２】
（本発明の適応分野）
本発明の実施の形態は、好ましくはシート形状のパネルから形成されていると共に、パネルと一体化された、すなわち工場で取り付けられた、ロックシステムを用いて機械的に結合される、という家具の構成要素における使用に特に適している。従って、後述する公知技術の説明、公知のシステムの問題、及び、本発明の課題及び特徴は、非制限的な例示として、とりわけこの適応分野に、特に他の隣接するパネルに対して垂直な１対の対向するエッジ上で機械的に結合されることを意図された長方形のパネルとして形成された家具の構成要素に向けられよう。パネルは、正方形でもあり得る。
【０００３】
本発明は、例えば木質系ＨＤＦ、パーティクルボード及び合板、樹脂のシート形状材料、鉱物繊維及び金属系材料、石材及びセラミックスなどのような任意のタイプのシート形状のパネルに適応可能である、ということが強調されるべきである。それは、家具の構成要素、及び、箱などをパッケージ化するための要素を接続するために使用され得る。また、それは、例えばテーブルの脚のような円柱形状を有する構成要素をロックするためにも使用され得る。
【背景技術】
【０００４】
（本発明の背景）
キッチンキャビネット、本棚、タンス、テーブルなどのような家具は、一般的に、輸送コストを節約するために、平らな構成要素として供給されている。顧客は、それらを組み立てなければならない。例えば接着剤、釘、ネジなどのように、いくつかの方法が、そのような家具の構成要素を組み立てるために使用されている。樹脂の構成要素を有するスナップ接続（ｓｎａｐｐｉｎｇ  ｃｏｎｎｅｃｔｉｏｎｓ）は、例えばタンスを接続するために広く使用されている。
【０００５】
（公知技術及びその問題）
特に１つのパネルが別のパネルに対して垂直に接続されるべき時に家具の構成要素の組み立てに関連する多くの問題が存在する。一般的に、溝及び孔に挿入されるべき特別な接続装置が供給されている。そのような組み立ては、複雑であると共に時間がかかり、その接続は、しばしば十分に強くない。樹脂材料で形成されたスナップ接続は、高価であると共に製造が複雑である。組み立てが単純であり得ると共に、硬く、採算性が良く、かつ強固なやり方でパネルを互いに接続するためにルースパーツ（ｌｏｏｓｅ  ｐａｒｔｓ）が必要とされないならば、有利であろう。
【０００６】  国際公開第２０１０／０７０４７２号は、回動及びスナップで家具の構成要素を組み立てるために使用され得るロックシステムを記載している。そのロックシステムは、パネルと一部品で形成され得るか、そうでなければ、外側の柔軟なスナップタブを有する別個の樹脂舌部が使用され得る。そのようなロックシステムは、特にパーティクルボードのようなかなり軟らかいコア材料が使用される時に十分な強度及び高度を与えない。柔軟な舌部は、溝内への直線的な変位で構成要素に接続され得ないため、そのロックシステムは、製造が複雑である。外側の柔軟な部分は、一般的に、硬い接続を提供するのに十分強くない。
【発明の概要】
【０００７】
本発明の実施の形態の基本的な課題は、採算性の良いやり方で製造され得ると共に、強いロックで、かつ、組み立て中に使用されるべきルースパーツを必要としない単純なやり方で、好ましくは長方形状のパネルが互いに対して垂直に機械的に接続され且つ組み立てられることを可能にする、改善された機械的ロックシステムを提供することである。
【０００８】
本発明の実施の形態の前述の課題は、より強く且つより容易なロックを提供する特許請求の範囲の独立項による機械的ロックシステム及びパネルによって、全体的にまたは部分的に達成される。本発明の実施の形態は、特許請求の範囲の従属項ならびに詳細な説明及び図面から明らかである。
【０００９】
本発明の第１の態様は、第１パネル及び第２パネルを備えた１組のパネルである。第２パネルが第１パネルに対して本質的に垂直に変位される時に、第１パネルと第２パネルとの間の機械的な接続を得るために、パネルが互いに対して本質的に垂直に配置される時に、第２パネルのエッジが、第１パネルの溝に挿入可能である。前記エッジは、別個かつ柔軟な舌部を有すると共に、前記溝は、舌部溝を有する、または、前記エッジは、舌部溝を有すると共に、前記溝は、別個かつ柔軟な舌部を有する。第１パネルの主平面と平行な第１方向において前記パネルを互いに接続するために、別個かつ柔軟な舌部は、舌部溝内に挿入可能である。第２パネルの主平面（ＭＰ）と平行な第２方向において前記パネルを互いに接続するために、第２パネルのエッジは、第１パネルの溝と協力して動作するように構成されている。別個かつ柔軟な舌部の長さ方向は、エッジ及び／または溝と平行に延びている。溝は、好ましくは、開口と、２つの側壁と、底部と、を有している。別個かつ柔軟な舌部は、挿入溝内に配置されている。別個かつ柔軟な舌部は、挿入溝内に取り付けられる内側部分と、挿入溝の開口の外側に延伸する外側部分と、を有している。別個な舌部の一部が、ロック中に、挿入溝内において変位される。柔軟な舌部は、ロック中に、好ましくは、挿入溝の底部に向かって内向きに、及び、舌部溝内へ外向きに、変位可能である。
【００１０】
舌部は、別個かつ柔軟な舌部の内側部分と外側部分との間に位置された２つの対向する変位面を有し得る。２つの対向する平面の一方または両方は、ロック中に、挿入溝の壁に対して変位可能であり得る。
【００１１】
挿入溝の上方壁または下方壁に対する変位面の変位を含むロックは、舌部を硬い外側部分と一緒に使用することを可能にし得る。それは、家具の構成要素における基本材料としてしばしば使用されるパーティクルボードようなかなり軟らかい材料においてさえも強いロックを容易にし得る。外側の硬い部分は、かなり深い舌部溝内へ変位され得て、硬いロックが得られ得る。
【００１２】
前記挿入溝は、開口が挿入溝の内側部分よりもパネルの主平面に近い状態で、上向きに傾けられ得る。舌部は変位溝内に直線的な動きで挿入され得るため、そのような傾きは、製造中に別個の舌部を挿入溝内に挿入することを容易にし得る。
【００１３】
別個かつ柔軟な舌部は、第２パネルのエッジが第１パネルの溝内に挿入される時に、スナップによってロックし得る。
【００１４】
内側部分は、例えば摩擦接続によって、または、接着剤によって、挿入溝内に固定され得る。
【００１５】
舌部の内側部分は、舌部の長さ方向に延伸する１つまたは２つ以上の柔軟な突出部を有し得る。
【００１６】
第１パネル及び／または第２パネルは、エッジ部分または溝部分を形成する別個の材料を有し得る。パーティクルボードは、ロックシステムの少なくとも一部を形成するために、パネルに接着または機械的に接続された硬い木材、合板、ＨＤＦ、及び、同様の木質系材料で補強され得る。
【００１７】
第２パネルが第１パネルの溝内に挿入される時にパネル本体が溝の開口の一方または両方の部分と重なるように、第２パネルは、パネル本体の厚みよりも小さな厚みを有する外側エッジを有し得る。
【００１８】
舌部及び／または溝の一部、及び好ましくはパネルの一部が、箔のような層によって被覆され得る前に、舌部及び／または溝の少なくとも一部は、第１パネル及び第２パネルにそれぞれ形成され得る。
【００１９】
前述のロックシステムは、パネルが、スナップ作用で、且つ、ルースパーツ無しで、互いに対して垂直に自動的にロックされ得ること、を可能にする。柔軟な舌部は、中央部分における及び角部分における強く且つ容易なロックを提供する。
【００２０】
舌部は、好ましくは工場で接続されているが、当然、空白のままで、または、別個の放れた（ｌｏｏｓｅ）構成要素として、別個に搬送されて、搬入中に溝内に挿入され得る。
【００２１】
パネルは、互いに対して垂直に接続可能であるのみならず、第１パネルの主平面と第２パネルの主平面との間が１８０°未満の角度で、または、好ましくは約４５°〜約１３５°の範囲で、互いに接続可能でもあり得る。
【図面の簡単な説明】
【００２２】
【図１】図１ａ〜１ｃは、本発明の一実施の形態による中央部分の垂直なスナップ作用を示している。
【図２】図２ａ〜２ｂは、本発明の一実施の形態による角部分を示している。図２ｃ〜２ｄは、本発明の実施の形態による角部分または中央部分を示している。
【図３】図３ａ〜３ｂは、本発明の実施の形態による４つのパネルのロック及び角部分を示している。
【図４】図４ａ〜４ｄは、本発明の実施の形態によるブリストル舌部及び弓形状の舌部を示している。
【図５】図５ａ〜５ｃは、本発明の実施の形態を示している。
【図６】図６ａ〜６ｃは、本発明の実施の形態を示している。
【図７】図７ａ〜７ｃは、本発明の実施の形態を示している。
【図８】図８ａ〜８ｂは、本発明の実施の形態による回動接続を示している。
【図９】図９ａ〜９ｄは、本発明の実施の形態による部分的な溝及び横押し舌部を示している。
【図１０】図１０ａ〜１０ｃは、本発明の実施の形態を示している。
【図１１】図１１ａ〜１１ｄは、本発明の実施の形態を３次元表示で示している。
【発明を実施するための形態】
【００２３】
理解を容易にするために、図面においていくつかのロックシステムが概略的に示されている。改善されたまたは異なる機能が好ましい実施の形態の組み合わせを使用することで達成され得る、ということが強調されるべきである。
【００２４】
図１ａ〜１ｃは、本発明の好ましい実施の形態による垂直なスナップ作用を有する接続を示している。図１ａは、第１パネル１及び第２パネル２を示している。第１パネル１は、パネルコア７に形成された溝６を有している。溝は、底部６ａと、２つの対向する溝壁６ｂ、６ｃと、を有している。溝は、第１パネル１の主平面ＭＰに向かって開口している。挿入溝４が、一方の溝壁６ｂに形成されている。挿入溝４は、好ましくは、当該挿入溝４ａの開口が内側部分４ｂよりも主平面ＭＰに近いように、パネルの主平面ＭＰに対して傾けられている。挿入溝の直線的な延長線Ｅが、溝６の開口に、または、より好ましくは溝６の開口の上に、延伸している。これは、大きな回転工具で挿入溝を形成すると共に別個の舌部３を溝内に挿入することを可能にする。挿入溝は、好ましくは、約１０°〜４５°の角度Ａで傾けられている。挿入溝は、柔軟な舌部３を有し、当該柔軟な舌部３は、内側部分９と、外側部分１０と、当該内側部分９と当該外側部分１０との間の好ましくは２つの対向するスライド面３ａ及び３ｂと、を有する。
【００２５】
図１ｂは、第２パネル２が第１パネルに対して垂直に溝６内に挿入される時に、変位面３ａ、３ｂを有する柔軟な舌部３が挿入溝４内に内向きに変位されるやり方を示している。
【００２６】
図１ｃは、好ましくはスナップ作用で第２パネルが第１パネルに対して垂直且つ平行に接続されるように、柔軟な舌部３が挿入溝において舌部溝５内に外向きに変位されるやり方を示している。柔軟な舌部及び舌部溝は、パネルを第１パネル１の主平面に対して垂直にロックする。溝６及び第２パネルのエッジ１６は、パネルを第１パネル１の主平面と平行にロックする。柔軟な舌部３は、舌部溝５内に予張力（ｐｒｅ  ｔｅｎｓｉｏｎ）でロックされ得る。
【００２７】
図２ａ及び２ｂは、第１パネルのエッジ１５がロック要素１２を有すると共に第２パネルのエッジ１６がロック溝１４を有するという本発明の別の好ましい実施の形態を示している。ロック要素及びロック溝は、パネルを第１パネルの主平面と平行にロックする。この実施の形態は、角部分を接続するために使用され得る。舌部３ａ及び舌部溝５ａもまた、図２ｂに示すように、ロック要素１２の外側部分に、及び／または、ロック溝１４の溝壁内に位置されると共に形成され得る。ロック要素１２の外側部分とロック溝の間には、空間または遊びまたは緊密な適合があり得る。挿入溝４は、第２パネルに形成され得ると共に、舌部溝５は、第１パネルに形成され得る。挿入溝、及び／または、柔軟な舌部と舌部溝との間のロック面は、第１パネルの主平面ＭＰに対して傾けられ得る、または、第１パネルの主平面ＭＰと本質的に平行であり得る。
【００２８】
図２ｃは、別の実施の形態を示しており、それは、角部分または中央部分を接続するために使用され得る。第１パネル１のエッジ１５は、ロック位置においてパネルの外側自由端を形成するロック要素１２を有している。第２パネル２が第１パネル１に対して垂直に溝６内に挿入される時に、柔軟な舌部３は、挿入溝４内に内向きに変位される。挿入溝４の傾きは、製造中に柔軟な舌部３を挿入溝４内に挿入することを容易にし、柔軟な舌部３がロック中に内向き及び下向きにスライドするため、ロックは下方抵抗で達成され得る。挿入溝は、好ましくは、その下方部分の延長線Ｅがロック要素１２の上方部分に、またはその上に位置されるように傾けられている。
【００２９】
図２ｄは、第２パネル２が第１パネル１の溝６内に挿入される時に、パネル本体２が溝開口の一方部分２７または両方部分２７、２８と重なるように、第２パネル２がパネル本体２よりも小さい厚みを有する外側エッジ２６を有し得ること、を示している。第１パネル及び／または第２パネルは、第１パネルまたは第２パネルのエッジまたは溝部分を形成する別個の材料２４、２５を有し得る。パーティクルボードパネルは、例えば、ロックシステムの少なくとも一部を形成するために、パネルに接着剤で接着されるまたは機械的に接続される硬い木材、合板、ＨＤＦなどの木質系材料で補強され得る。別個の材料は、例えば、箔、紙、または、塗料で被覆され得る。
【００３０】
図３は、４つの角部分２０ａ、２０ｂ、２０ｃ、２０ｄの接続を示している。例えばキッチンキャビネットの４つのパネルが接続され得る。第１パネル１ａが、床に置かれる。第２パネル２ａ及び第３パネル２ｂが、第１パネル１ａにスナップで接続される。最後に、第４パネル１ｂが、第２パネル及び第３パネルに接続される。
【００３１】
図３ｂは、隣接するパネルのエッジ１７、１８がパネルの主平面に対して好ましくは内向きかつ好ましくは約４５°の角度で傾けられている角部分を示している。
【００３２】
図４ａ〜４ｃは、公知の柔軟なブリストル舌部３を示しており、それは、フロアパネルを接続するために使用される。そのような舌部は、本発明によるパネルを接続するために使用され得る。舌部は、当該舌部の長さ方向において曲がると共にスナップ作用中に挿入溝内で当該舌部を変位させる柔軟な突出部７を有している。図４ａは、ロック前の外側位置における舌部を示しており、図４ｂは、ロック中の内側位置における舌部３を示しており、図４ｃは、外側かつロックされた位置における舌部３を示している。
【００３３】
図４ｄは、長さ方向において曲がる柔軟な弓形状の舌部３を示している。
【００３４】
フロアパネルをロックするために使用される全ての公知の柔軟な舌部が、本発明で使用され得る。長さ方向において曲がる舌部、例えば、図４ａ及び４ｄに示されたような、ブリストル舌部または弓形状の舌部が好ましい。なぜなら、そのような舌部は、柔軟性が、家具の構成要素においてコアとして一般的に使用されるパーティクルボードのようなかなり軟らかいコア材料においてさえ、強いロックを生成する硬くかつ強い外側部分と組み合わされ得る、という利点を有するからである。舌部が、ロックされた位置において舌部溝に対して予張力を生成するならば、有利である。特に舌部／舌部溝のロック面が第１パネルの主平面に対して傾けられている場合、これは、より強いロックを与えると共に製造ばらつきを除去する。舌部は、好ましくはガラス繊維で補強された射出成型樹脂材料から好ましくは形成される。
【００３５】
図５ａは、２つの舌部３ａ、３ｂを有する実施の形態を示している。第２パネル２のエッジは、別個の材料２５を有し得る。
【００３６】
図５ｂは、スナップ中に傾けられた挿入溝４内に少なくとも部分的に変位されるスナップタブ付きの外側部分４を有する舌部３を示している。ロックシステムは、コアと一部品で形成され得るまたは別個の要素として挿入され得る安定化舌部１１を有している。
【００３７】
図５ｃは、スナップ中に挿入溝４の外側に変位されるスナップタブ１０を有する舌部３を示している。
【００３８】
図６ａは、内側及び外側の柔軟な部分を有する舌部を示している。図６ｂは、舌部３を舌部溝内に回転させると共にスナップさせる押し腕部２１を有する回転及びスナップ舌部３を有する実施の形態を示している。
【００３９】
図６ｃは、挿入溝４が第２パネル２に形成され得ることを概略的に示している。
【００４０】
図７ａ〜７ｃは、柔軟な舌部の別の位置を示している。図７ａは、第２パネルが第１パネルの主平面に対していくらか、例えば４５°〜８９°傾けられ得ることを示している。図７ｂは、第１パネル１の中央部分に取り付けられた２つの舌部３ａ、３ｂを示しており、図７ｃは、角部分を示している。
【００４１】
図８ａ及び８ｂは、２つのパネルがフロア用のロックシステムに使用される一般的に知られた原理によって一緒に回動され得ることを示している。そのような回動接続は、前述された全てのスナップの実施の形態と組み合わせられ得る。図８ａは、角部分の回動接続を示しており、図８ｂは、中央部分の回動接続を示している。接続中に回動される第２パネル２は、第１パネルに形成された舌部溝３２及びロック要素３３とのロック中に協力して動作する舌部３０とロック溝３１とを有している。
【００４２】
全ての固定及び舌部溝は、パネルの全長に亘ってまたはパネルと一緒に形成され得る。また、それらは、パネルの一部に沿って延伸するだけの１つまたは２つ以上の局所的な溝としても形成され得る。そのような溝は、例えば回転跳躍工具ヘッドを用いた多くのやり方で形成され得る。そのような局所的な溝６は、図９ａに概略的に示されている。
【００４３】
図９ｂ〜９ｄは、いわゆる横押しロックシステムも家具の構成要素を接続するために使用され得る、ということを示している。横圧力Ｐで挿入溝４に沿うと共に挿入溝に対して垂直に舌部溝内に変位されるそのような舌部３は、前述に示された全ての実施の形態に使用され得る。垂直な変位は、溝に沿って変化する深さを有するくさび２３または固定溝で達成され得る。また、舌部３及び舌部溝は、重なる突出部を有し得て、ロックは、舌部溝内への垂直な変位無しで、挿入溝に沿った変位で達成され得る。そのような実施の形態は、硬い舌部を用いたロックを可能にし、柔軟な部分が必要とされない。
【００４４】
図１０ａ〜１０ｃは、好ましくは他のパネルのエッジにおける穴内に挿入されたパネル１、２の例えば樹脂、木材または金属のプラグ２１を更に備えた本発明の実施の形態を示している。プラグ及び穴は、接続の強度を増大させると共に、パネルを位置決めするために使用され得る。
【００４５】
図１１ａ〜１１ｂは、２つの異なる角度での３次元視における図１０ａ〜１０ｃの実施の形態を示しており、図１１ｃ〜１１ｄは、２つの異なる角度での３次元視における断面図を示している。
【図１ａ】
0005978440.tif 000002
【図１ｂ】
0005978440.tif 000003
【図１ｃ】
0005978440.tif 000004
【図２ａ】
0005978440.tif 000005
【図２ｂ】
0005978440.tif 000006
【図２ｃ】
0005978440.tif 000007
【図２ｄ】
0005978440.tif 000008
【図３ａ】
0005978440.tif 000009
【図３ｂ】
0005978440.tif 000010
【図４ａ】
0005978440.tif 000011
【図４ｂ】
0005978440.tif 000012
【図４ｃ】
0005978440.tif 000013
【図４ｄ】
0005978440.tif 000014
【図５ａ】
0005978440.tif 000015
【図５ｂ】
0005978440.tif 000016
【図５ｃ】
0005978440.tif 000017
【図６ａ】
0005978440.tif 000018
【図６ｂ】
0005978440.tif 000019
【図６ｃ】
0005978440.tif 000020
【図７ａ】
0005978440.tif 000021
【図７ｂ】
0005978440.tif 000022
【図７ｃ】
0005978440.tif 000023
【図８ａ】
0005978440.tif 000024
【図８ｂ】
0005978440.tif 000025
【図９ａ】
0005978440.tif 000026
【図９ｂ−９ｄ】
0005978440.tif 000027
【図１０ａ】
0005978440.tif 000028
【図１０ｂ】
0005978440.tif 000029
【図１０ｃ】
0005978440.tif 000030
【図１１ａ】
0005978440.tif 000031
【図１１ｂ】
0005978440.tif 000032
【図１１ｃ】
0005978440.tif 000033
【図１１ｄ】
0005978440.tif 000034